(57)【特許請求の範囲】
【請求項１】
繰り返し時間の間に、被検体の動く部位を含む撮影部位に設定された複数のスライスの画像を得るための複数のシーケンスを実行するスキャン手段を有する磁気共鳴装置であって、
前記スキャン手段は、
複数の勾配パルスを有し、前記複数のスライスのうちの前記動く部位を横切る第１のスライスの画像の情報を表すイメージングデータを含むＭＲ信号を収集するための第１のシーケンスであって、該第１のシーケンスが有する複数の勾配パルスのうちの２つの勾配パルスの間に、前記動く部位の動きの情報を表すナビゲータデータを含むＭＲ信号を収集するための待ち時間が設けられた第１のシーケンスと、
複数の勾配パルスを有し、前記複数のスライスのうちの前記第１のスライスよりも前記動く部位から離れている第２のスライスの画像の情報を表すイメージングデータを含むＭＲ信号を収集するための第２のシーケンスであって、該第２のシーケンスが有する複数の勾配パルスのうちの２つの勾配パルスの間に、前記動く部位の動きの情報を表すナビゲータデータを含むＭＲ信号を収集するための待ち時間が設けられていない第２のシーケンスと、
を実行する、磁気共鳴装置。
【請求項２】
前記第１のシーケンスが有する複数の勾配パルスには、前記第１のスライスのイメージングデータを含むＭＲ信号を読み出すための第１の読出し勾配パルスが含まれており、
前記第２のシーケンスが有する複数の勾配パルスには、前記第２のスライスのイメージングデータを含むＭＲ信号を読み出すための第２の読出し勾配パルスが含まれている、請求項１に記載の磁気共鳴装置。
【請求項３】
前記第１のシーケンスには、前記第１の読出し勾配パルスの後に前記待ち時間が設けられている、請求項２に記載の磁気共鳴装置。
【請求項４】
前記第１のシーケンスが有する複数の勾配パルスには、前記第１の読出し勾配パルスの後に印加される第１の読出し用リフェーザパルスと、横磁化を消去するための第１のキラーパルスとが含まれており、
前記第１のシーケンスには、前記第１の読出しリフェーザパルスと前記第１のキラーパルスとの間に、前記待ち時間が設けられている、請求項３に記載の磁気共鳴装置。
【請求項５】
前記第１のシーケンスが有する複数の勾配パルスには、第１の位相エンコード勾配パルスと、前記第１の位相エンコード勾配パルスの後に印加される第１の位相エンコード用リフェーザパルスと、横磁化を消去するための第１のキラーパルスとが含まれており、
前記第１のシーケンスには、前記第１の位相エンコード用リフェーザパルスと前記第１のキラーパルスとの間に、前記待ち時間が設けられている、請求項３に記載の磁気共鳴装置。
【請求項６】
前記第１のシーケンスには、前記第１の読出し勾配パルスの前に前記待ち時間が設けられている、請求項２に記載の磁気共鳴装置。
【請求項７】
前記第１のシーケンスが有する複数の勾配パルスには、第１のスライス選択勾配パルスと、前記第１のスライス選択勾配パルスの後に印加される第１のスライス選択用リフェーザパルスと、前記第１の読出し勾配パルスの前に印加される第１のディフェーザパルスとが含まれており、
前記第１のシーケンスには、前記第１のスライス選択用リフェーザパルスと前記第１のディフェーザパルスとの間に、前記待ち時間が設けられている、請求項６に記載の磁気共鳴装置。
【請求項８】
前記第１のシーケンスが有する複数の勾配パルスには、第１のスライス選択勾配パルスと、前記第１のスライス選択勾配パルスの後に印加される第１のスライス選択用リフェーザパルスと、第１の位相エンコード勾配パルスとが含まれており、
前記第１のシーケンスには、前記第１のスライス選択用リフェーザパルスと前記第１の位相エンコード勾配パルスとの間に、前記待ち時間が設けられている、請求項６に記載の磁気共鳴装置。
【請求項９】
前記第２のシーケンスが有する複数の勾配パルスには、前記第２の読出し勾配パルスの後に印加される第２の読出し用リフェーザパルスと、横磁化を消去するための第２のキラーパルスとが含まれており、
前記第２のキラーパルスは、時間軸方向に関して、前記第２の読出し用リフェーザパルスに重なるように印加される、請求項２〜８のうちのいずれか一項に記載の磁気共鳴装置。
【請求項１０】
前記第２のシーケンスが有する複数の勾配パルスには、第２の位相エンコード勾配パルスと、前記第２の位相エンコード勾配パルスの後に印加される第２の位相エンコード用リフェーザパルスと、横磁化を消去するための第２のキラーパルスとが含まれており、
前記第２のキラーパルスは、時間軸方向に関して、前記第２の位相エンコード用リフェーザパルスに重なるように印加される、請求項２〜８のうちのいずれか一項に記載の磁気共鳴装置。
【請求項１１】
前記第２のシーケンスが有する複数の勾配パルスには、第２のスライス選択勾配パルスと、前記第２のスライス選択勾配パルスの後に印加される第２のスライス選択用リフェーザパルスと、前記第２の読出し勾配パルスの前に印加される第２のディフェーザパルスとが含まれており、
前記第２のディフェーザパルスは、時間軸方向に関して、前記第２のスライス選択用リフェーザパルスに重なるように印加される、請求項２〜１０のうちのいずれか一項に記載の磁気共鳴装置。
【請求項１２】
前記第２のシーケンスが有する複数の勾配パルスには、第２のスライス選択勾配パルスと、前記第２のスライス選択勾配パルスの後に印加される第２のスライス選択用リフェーザパルスと、第２の位相エンコード勾配パルスとが含まれており、
前記第２の位相エンコード勾配パルスは、時間軸方向に関して、前記第２のスライス選択用リフェーザパルスに重なるように印加される、請求項２〜１０のうちのいずれか一項に記載の磁気共鳴装置。
【請求項１３】
前記複数のシーケンスを実行することにより得られた複数のイメージングデータを、画像再構成用のイメージングデータとして受け入れるか否かを判断する判断手段を有する、請求項１〜１２のうちのいずれか一項に記載の磁気共鳴装置。
【請求項１４】
前記第１のシーケンスを実行することにより得られたナビゲータデータに基づいて、前記繰り返し時間における前記被検体の体動の情報を表す体動データを作成する体動データ作成手段と、
前記体動データに基づいて、前記複数のイメージングデータを、画像再構成用のイメージングデータとして受け入れるか否かを判断するための許容範囲を設定する許容範囲設定手段と、
を有し、
前記判断手段は、前記許容範囲に基づいて、前記複数のイメージングデータを、画像再構成用のイメージングデータとして受け入れるか否かを判断する、請求項１３に記載の磁気共鳴装置。
【請求項１５】
前記複数のスライスのうちの一部のスライスは、前記撮影部位のうちの前記動く部位側に設定されており、
前記複数のスライスのうちの残りのスライスは、前記一部のスライスよりも前記動く部位から離れた位置に設定されており、
前記一部のスライスには前記第１のスライスが含まれており、前記残りのスライスには前記第２のスライスが含まれている、請求項１４に記載の磁気共鳴装置。
【請求項１６】
前記体動データ作成手段は、
前記一部のスライスにより得られたナビゲータデータに基づいて、前記体動データを作成する、請求項１５に記載の磁気共鳴装置。
【請求項１７】
前記動く部位は、肝臓の上端を含んでいる、請求項１〜１６のうちのいずれか一項に記載の磁気共鳴装置。
【発明の詳細な説明】
【技術分野】
【０００１】
本発明は、繰り返し時間の間に、複数のスライスの画像を得るための複数のシーケンスを実行する磁気共鳴装置に関する。
【背景技術】
【０００２】
体動補正を行う手法として、ＤＣセルフナビゲータ法が知られている（非特許文献１参照）。
【先行技術文献】
【非特許文献】
【０００３】
【非特許文献１】Brau et al., Magnetic Resonance in Medicine 55:263-270 (2006).
【発明の概要】
【発明が解決しようとする課題】
【０００４】
図２８に、非特許文献１で提案されたＤＣセルフナビゲータシーケンスＦを示す。シーケンスＦでは、ｚ軸方向に印加されるリフェーザパルスＧｚ２と、ｘ軸方向に印加されるディフェーザパルスＧｘ１との間に、ｋ空間の中心のデータ（ＤＣデータ）を含むＭＲ信号Ｅ２を収集するための待ち時間Ｔｗａｉｔが設けられている。ＤＣデータは、被検体の動きの情報を表すナビゲータデータとして使用される。ディフェーザパルスＧｘ１を印加した後、ｘ軸方向に読出し勾配パルスＧｘ２を印加することにより、画像の情報を表すイメージングデータを含むＭＲ信号Ｅ１が収集される。
【０００５】
ＤＣセルフナビゲータ法は、撮影部位を励起するためのＲＦパルスαを用いて２つのＭＲ信号Ｅ１およびＥ２を収集する。したがって、ＤＣセルフナビゲータ法では、ナビゲータデータとイメージングデータとを別々のＲＦパルスで収集した場合に起こるスピン飽和効果を考える必要はなく、フリップ角の大きいＲＦパルス（例えば、９０°パルス）を用いた２Ｄ撮影に適している。
【０００６】
ただし、シーケンスＦでは、読出し勾配パルスＧｘ２を印加する前に、ＭＲ信号Ｅ２を収集するための待ち時間Ｔｗａｉｔを設ける必要がある。したがって、エコー時間ＴＥが延長するという問題がある。
【０００７】
そこで、この問題に対処するために、図２９に示すシーケンスＣを用いることが考えられる。シーケンスＣは、リフェーザパルスＧｘ３（Ｇｙ２）を印加した後、キラーパルスＧｚ３を印加する前に、ＭＲ信号Ｅ２を収集するための待ち時間Ｔｗａｉｔを設けている。したがって、読出し勾配パルスＧｘ２を印加する前に、ＭＲ信号Ｅ２を収集するための待ち時間Ｔｗａｉｔを設ける必要がないので、エコー時間ＴＥの延長を防止することができる。しかし、シーケンスＣでは、リフェーザパルスＧｘ３（Ｇｙ２）を印加した後に待ち時間Ｔｗａｉｔを設ける必要があるので、待ち時間Ｔｗａｉｔが経過するまでキラーパルスＧｚ３を印加することができない。このため、図２９のシーケンスＣの時間長Ｔｃは、図２８のシーケンスＦの時間長Ｔｆよりも長くなってしまうので、図２９のシーケンスＣを用いてマルチスライススキャンを実行した場合、繰り返し時間ＴＲ（Repetition Time）が長くなるという問題がある。
【０００８】
そこで、繰り返し時間ＴＲの延長ができるだけ短くなるようにマルチスライススキャンを行う技術が望まれている。
【課題を解決するための手段】
【０００９】
本発明の一観点は、繰り返し時間の間に、被検体の動く部位を含む撮影部位に設定された複数のスライスの画像を得るための複数のシーケンスを実行するスキャン手段を有する磁気共鳴装置であって、
前記スキャン手段は、
複数の勾配パルスを有し、前記複数のスライスのうちの前記動く部位を横切る第１のスライスの画像の情報を表すイメージングデータを含むＭＲ信号を収集するための第１のシーケンスであって、該第１のシーケンスが有する複数の勾配パルスのうちの２つの勾配パルスの間に、前記動く部位の動きの情報を表すナビゲータデータを含むＭＲ信号を収集するための待ち時間が設けられた第１のシーケンスと、
複数の勾配パルスを有し、前記複数のスライスのうちの前記第１のスライスよりも前記動く部位から離れている第２のスライスの画像の情報を表すイメージングデータを含むＭＲ信号を収集するための第２のシーケンスであって、該第２のシーケンスが有する複数の勾配パルスのうちの２つの勾配パルスの間に、前記動く部位の動きの情報を表すナビゲータデータを含むＭＲ信号を収集するための待ち時間が設けられていない第２のシーケンスと、
を実行する、磁気共鳴装置である。
【発明の効果】
【００１０】
第２のシーケンスには待ち時間が設けられていないので、マルチスライススキャンを実行するときの繰り返し時間の延長を最小限に抑えることができる。
【図面の簡単な説明】
【００１１】
【図１】本発明の第１の形態の磁気共鳴装置の概略図である。
【図２】プロセッサ９が実行する処理を示す図である。
【図３】第１の形態における撮影部位を示す図である。
【図４】第１の形態のマルチスライススキャンとは別のマルチスライススキャンＭＬ１の説明図である。
【図５】期間Ｐ１において収集されるｋ空間のデータを示す図である。
【図６】体動データを求めるときの説明図である。
【図７】期間Ｐ２においてシーケンスＣ１〜Ｃ２０を実行するときの説明図である。
【図８】期間ＰｍにおいてシーケンスＣ１〜Ｃ２０を実行するときの説明図である。
【図９】肝臓の上端側（Ｓ側）に位置するスライスＬ１〜Ｌ１０から得られたナビゲータデータのみを用いて体動データを求める方法の説明図である。
【図１０】期間Ｐ２においてシーケンスを実行したときの様子を示す図である。
【図１１】期間ＰｍにおいてシーケンスＣ１〜Ｃ２０を実行したときの様子を示す図である。
【図１２】第１の形態のマルチスライススキャンＭＬ２で使用されるシーケンスの説明図である。
【図１３】シーケンスＣ１とシーケンスＤ１１との相違点の説明図である。
【図１４】第１の形態のマルチスライススキャンＭＬ２における繰り返し時間ＴＲと、別のマルチスライススキャンＭＬ１における繰り返し時間ＴＲの違いを概略的に示す図である。
【図１５】第１の形態のマルチスライススキャンＭＬ２を実行するときのイメージングデータのデータ収集順序の一例の説明図である。
【図１６】体動データを求めるときの説明図である。
【図１７】期間Ｐ２においてシーケンスＣ１〜Ｃ１０およびＤ１１〜Ｄ２０を実行したときの様子を示す図である。
【図１８】期間ＰｍにおいてシーケンスＣ１〜Ｃ１０およびＤ１１〜Ｄ２０を実行するときの説明図である。
【図１９】第２の形態においてプロセッサ９が実行する処理を示す図である。
【図２０】第２の形態で実行されるスキャンを示す図である。
【図２１】ローカライズスキャンＬＳの説明図である。
【図２２】オペレータによって設定された２０枚のスライスＬ１〜Ｌ２０を概略的に示す図である。
【図２３】イメージングデータの受入れ、拒否を判断する方法の説明図である。
【図２４】本スキャンＭＳにおいて、ｋｙ＝３２のイメージングデータＡ１〜Ａ２０を再収集するときの説明図である。
【図２５】期間Ｐｍ＋２においてシーケンスＣ１〜Ｃ１０およびＤ１１〜Ｄ２０を実行するときの説明図である。
【図２６】本スキャンＭＳの前にプレスキャンＰＳを実行する例の説明図である。
【図２７】図２８に示すシーケンスチャートが使用された例を示す図である。
【図２８】非特許文献１で提案されたＤＣセルフナビゲータシーケンスＦを示す図である。
【図２９】図２８とは別のＤＣセルフナビゲータシーケンスを示す図である。
【発明を実施するための形態】
【００１２】
以下、発明を実施するための形態について説明するが、本発明は、以下の形態に限定されることはない。
【００１３】
（１）第１の形態
図１は、本発明の第１の形態の磁気共鳴装置の概略図である。
磁気共鳴装置（以下、「ＭＲ装置」と呼ぶ。ＭＲ：Magnetic Resonance）１００は、マグネット２、テーブル３、受信ＲＦコイル（以下、単に「受信コイル」と呼ぶ）４などを有している。
【００１４】
マグネット２は、被検体１３が収容されるボア２１を有している。またマグネット２には、超伝導コイル、勾配コイル、ＲＦコイルなど（図示せず）が内蔵されている。超伝導コイルは静磁場を印加し、勾配コイルは勾配磁場を印加し、ＲＦコイルはＲＦパルスを印加する。
【００１５】
テーブル３は、クレードル３ａを有している。クレードル３ａは、ボア２１内に移動できるように構成されている。クレードル３ａによって、被検体１３はボア２１に搬送される。
【００１６】
受信コイル４は、被検体１３の腹部から胸部に渡って取り付けられている。受信コイル４は、被検体１３からの磁気共鳴信号を受信する。
【００１７】
ＭＲ装置１００は、更に、送信器５、勾配磁場電源６、受信器７、コンピュータ８、操作部１１、および表示部１２などを有している。
【００１８】
送信器５はＲＦコイルに電流を供給し、勾配磁場電源６は勾配コイルに電流を供給する。受信器７は、受信コイル４から受け取った信号に対して、検波などの信号処理を実行する。尚、マグネット２、受信コイル４、送信器５、勾配磁場電源６、受信器７を合わせたものがスキャン手段に相当する。
【００１９】
コンピュータ８は、表示部１１に必要な情報を伝送したり、画像を再構成するなど、ＭＲ装置１００の各種の動作を実現するように、ＭＲ装置１００の各部の動作を制御する。コンピュータ８は、プロセッサ９およびメモリ１０などを有している。
【００２０】
メモリ１０には、プロセッサ９により実行されるプログラムなどが記憶されている。プロセッサ９は、メモリ１０に記憶されているプログラムを読み出し、プログラムに記述されている処理を実行する。図２に、プロセッサ９が実行する処理を示す。プロセッサ９は、メモリ１０に記憶されているプログラムを読み出すことにより、体動データ作成手段９１および画像作成手段９２などを構成する。
体動データ作成手段９１は、ナビゲータデータに基づいて、被検体の体動の情報を表す体動データを作成する。
画像作成手段９２は、各スライス（後述する図３参照）の画像を作成する。
プロセッサ９は、体動データ作成手段９１および画像作成手段９２を構成する一例であり、所定のプログラムを実行することにより、これらの手段として機能する。
【００２１】
操作部１１は、オペレータにより操作され、種々の情報をコンピュータ８に入力する。表示部１２は種々の情報を表示する。
ＭＲ装置１００は、上記のように構成されている。
【００２２】
図３は、第１の形態における撮影部位を示す図である。
第１の形態では、被検体の肝臓が撮影される。図３には、撮影部位に設定されたＮ枚のスライスが示されている。第１の形態では、Ｎ＝２０、すなわち、肝臓を含む撮影部位に、２０枚のスライスＬ１〜Ｌ２０が設定された例が示されているが、Ｎの値は、Ｎ＝２０に限定されることはなく、Ｎ＜２０でもよいし、Ｎ＞２０でもよい。
【００２３】
第１の形態では、図２９のシーケンスＣを用いて撮影部位のマルチスライススキャンを実行するが、マルチスライススキャンの繰り返し時間の延長が最小限に抑えられるように、マルチスライススキャンのやり方を工夫している。以下、第１の形態のマルチスライススキャンについて説明する。尚、第１の形態のマルチスライススキャンの説明にあたっては、第１の形態の効果を明確にするために、第１の形態のマルチスライススキャンの説明をする前に、シーケンスＣを用いることによりスキャン時間が長くなってしまう別のマルチスライススキャンについて先に説明する。その後に、第１の形態のマルチスライススキャンについて説明し、第１の形態のマルチスライススキャンにより繰り返し時間ＴＲの延長を短縮できる理由について説明する。
【００２４】
図４は、第１の形態のマルチスライススキャンとは別のマルチスライススキャンＭＬ１の説明図である。
図４では、マルチスライススキャンＭＬ１を複数の期間Ｐ１〜Ｐｍに分けて示してある。各期間は、マルチスライス法によりスライスＬ１〜Ｌ２０（図３参照）からＭＲ信号を収集するためのシーケンスＣが実行される繰り返し時間ＴＲを表している。図４では、期間Ｐ１〜Ｐｍのうち期間Ｐ１で実行される複数のシーケンスＣが示されている。尚、図４では、期間Ｐ１で実行される複数のシーケンスＣを区別するために、符号「Ｃ」には添字「１」〜「２０」を付してある。また、期間Ｐ１では、２０個のシーケンスＣ１〜Ｃ２０が実行されるので、１個のシーケンスを実行するために必要な時間Ｔｃは、Ｔｃ＝ＴＲ／２０となる。
【００２５】
シーケンスＣ１は、スライスＬ１を励起するためのＲＦパルスαと、スライス選択勾配パルスＧｚ１を有している。ＲＦパルスαおよびスライス選択勾配パルスＧｚ１によってスライスＬ１が励起される。スライス選択勾配パルスＧｚ１の直後には、スライス選択用リフェーザパルスＧｚ２が印加される。
【００２６】
シーケンスＣ１は、ｘ軸に、ディフェーザパルスＧｘ１、ＭＲ信号を読み出すための読出し勾配パルスＧｘ２、およびスピンの位相を再収束させるための読出し用リフェーザパルスＧｘ３を有している。尚、ディフェーザパルスＧｘ１は、時間軸方向に関して、スライス選択用リフェーザパルスＧｚ２に重なるように印加される。読出し勾配パルスＧｘ２により、スライスＬ１のイメージングデータを含むＭＲ信号Ｅ１を得ることができる。
【００２７】
また、シーケンスＣ１は、ｙ軸に、位相エンコード勾配パルスＧｙ１と、スピンの位相を再収束させるための位相エンコード用勾配パルスＧｙ２とを有している。位相エンコード勾配パルスＧｙ１は、時間軸方向に関して、スライス選択用リフェーザパルスＧｚ２に重なるように印加される。
【００２８】
更に、シーケンスＣ１は、ｚ軸に、横磁化を消去するためのキラーパルスＧｚ３を有している。リフェーザパルスＧｘ３およびＧｙ２とキラーパルスＧｚ３との間には待ち時間Ｔｗａｉｔが設けられている。この待ち時間Ｔｗａｉｔの間に、ｋ空間の中心のデータ（ＤＣデータ）を表すＭＲ信号Ｅ２が収集される。ＤＣデータは、被検体の動きの情報を表すナビゲータデータとして使用される。待ち時間Ｔｗａｉｔは、例えば２０μｓである。
【００２９】
受信コイル４（図１参照）はＭＲ信号Ｅ１およびＥ２を受信する。受信コイル４で受信されたＭＲ信号Ｅ１およびＥ２は受信器７（図１参照）に伝送される。受信器７は、受信コイル４から受け取った信号に対して検波などの信号処理を実行する。このようにして、ＭＲ信号Ｅ１から、被検体の撮影部位のイメージングデータＡを得ることができ、一方、ＭＲ信号Ｅ２から、被検体の動きの情報を表すナビゲータデータＢを得ることができる。
【００３０】
シーケンスＣ１を実行した後、スライスＬ２〜Ｌ２０の画像を取得するためのシーケンスＣ２〜Ｃ２０が順に実行される。シーケンスＣ２〜Ｃ２０は、ＲＦパルスαの励起周波数を除いて、シーケンスＣ１と同じシーケンスチャートで表される。したがって、期間Ｐ１では、シーケンスＣ１〜Ｃ２０の各々を実行するたびに、イメージングデータＡおよびナビゲータデータＢを取得することができる。
【００３１】
期間Ｐ１においてシーケンスＣ１〜Ｃ２０を実行した後、次の期間Ｐ２でもシーケンスＣ１〜Ｃ２０が実行される。以下同様に、期間Ｐ３〜Ｐｍごとに、シーケンスＣ１〜Ｃ２０が実行される。尚、シーケンスＣ１〜Ｃ２０の位相エンコード量は、期間ごとに変化する。
【００３２】
次に、マルチスライススキャンＭＬ１を実行するときのｋ空間のデータ収集順序の一例について説明する。
マルチスライススキャンＭＬ１では、先ず、期間Ｐ１において、シーケンスＣ１〜Ｃ２０が実行される（図５参照）。
【００３３】
図５は、期間Ｐ１において実行されるシーケンスＣ１〜Ｃ２０の説明図である。
期間Ｐ１では、シーケンスＣ１〜Ｃ２０が実行される。したがって、シーケンスＣ１〜Ｃ２０の各々を実行するたびに、イメージングデータＡおよびナビゲータデータＢ（図４参照）を得ることができる。尚、図５では、期間Ｐ１で得られる複数のイメージングデータＡを区別するために、符号Ａには、添え字「１」、「２」、・・・「１０」、「１１」、・・・「２０」を付してある。同様に、ナビゲータデータＢを区別するために、符号Ｂにも、添え字「１」、「２」、・・・「１０」、「１１」、・・・「２０」を付してある。
【００３４】
期間Ｐ１では、先ず、シーケンスＣ１が実行される。シーケンスＣ１を実行することにより、イメージングデータＡ１とナビゲータデータＢ１とを得ることができる。イメージングデータＡ１は、スライスＬ１のｋｙ＝３２のラインのデータである。シーケンスＣ１を実行した後、シーケンスＣ２が実行される。
【００３５】
シーケンスＣ２を実行することにより、イメージングデータＡ２とナビゲータデータＢ２とを得ることができる。イメージングデータＡ２は、スライスＬ２のｋｙ＝３２のラインのデータである。
【００３６】
以下同様に、スライスＬ３〜Ｌ２０の各々からイメージングデータおよびナビゲータデータを得るためのシーケンスＣ３〜Ｃ２０が実行される。例えば、スライスＬ１０のイメージングデータおよびナビゲータデータを得る場合、シーケンスＣ１０が実行される。シーケンスＣ１０を実行することにより、スライスＬ１０におけるイメージングデータＡ１０とナビゲータデータＢ１０とを得ることができる。イメージングデータＡ１０は、スライスＬ１０のｋｙ＝３２のラインのデータである。シーケンスＣ１０を実行した後、シーケンスＣ１１が実行される。シーケンスＣ１１を実行することにより、スライスＬ１１におけるイメージングデータＡ１１とナビゲータデータＢ１１とを得ることができる。そして、期間Ｐ１の最後にシーケンスＣ２０が実行される。シーケンスＣ２０を実行することにより、スライスＬ２０におけるイメージングデータＡ２０とナビゲータデータＢ２０とを得ることができる。イメージングデータＡ２０は、スライスＬ２０のｋｙ＝３２のラインのデータである。
【００３７】
したがって、期間Ｐ１の間に、スライスＬ１〜Ｌ２０のｋｙ＝３２のデータを収集することができる。
【００３８】
また、期間Ｐ１の間に、ナビゲータデータＢ１〜Ｂ２０が得られる。マルチスライススキャンＭＬ１では、ナビゲータデータＢ１〜Ｂ２０を用いて、期間Ｐ１（繰り返し時間ＴＲ）における被検体の動きの情報を表す体動データが求められる（図６参照）。
【００３９】
図６は体動データを求めるときの説明図である。
先ず、ナビゲータデータＢ１〜Ｂ２０の各々の積分値（面積）を求める。図６では、ナビゲータデータＢ１〜Ｂ２０の積分値を、符号「Ｓ１」〜「Ｓ２０」で示してある。ナビゲータデータＢ１〜Ｂ２０の積分値Ｓ１〜Ｓ２０を計算した後、これらの積分値を加算する。この加算値ｒ１が、期間Ｐ１における体動データとして用いられる。
期間Ｐ１においてシーケンスＣ１〜Ｃ２０を実行した後、期間Ｐ２に移行する（図７参照）。
【００４０】
図７は期間Ｐ２においてシーケンスＣ１〜Ｃ２０を実行するときの説明図である。
尚、図７では、期間Ｐ２で得られる複数のイメージングデータＡを区別するために、符号Ａには、添え字「１」、「２」、・・・「１０」、「１１」、・・・「２０」を付してある。同様に、ナビゲータデータＢを区別するために、符号Ｂにも、添え字「１」、「２」、・・・「１０」、「１１」、・・・「２０」を付してある。
【００４１】
期間Ｐ２では、先ず、シーケンスＣ１が実行される。シーケンスＣ１を実行することにより、イメージングデータＡ１とナビゲータデータＢ１とを得ることができる。イメージングデータＡ１は、スライスＬ１のｋｙ＝３１のラインのデータである。シーケンスＣ１を実行した後、シーケンスＣ２〜Ｃ２０が順に実行される。したがって、期間Ｐ２の間に、スライスＬ１〜Ｌ２０のｋｙ＝３１のデータを収集することができる。
【００４２】
また、期間Ｐ２でも、期間Ｐ１と同様に、スライスＬ１〜Ｌ２０のナビゲータデータＢ１〜Ｂ２０の積分値Ｓ１〜Ｓ２０を計算し、これらの積分値を加算する。この加算値ｒ２が、期間Ｐ２における体動データとして用いられる。
【００４３】
以下同様に、期間Ｐ３〜Ｐｍにおいて、残りのｋｙビューのデータを収集するためのシーケンスＣ１〜Ｃ２０が実行される（図８参照）。
【００４４】
図８は期間ＰｍにおいてシーケンスＣ１〜Ｃ２０を実行するときの説明図である。
尚、図８では、期間Ｐｍで得られる複数のイメージングデータＡを区別するために、符号Ａには、添え字「１」、「２」、・・・「１０」、「１１」、・・・「２０」を付してある。同様に、ナビゲータデータＢを区別するために、符号Ｂにも、添え字「１」、「２」、・・・「１０」、「１１」、・・・「２０」を付してある。
【００４５】
期間Ｐｍでは、先ず、シーケンスＣ１が実行される。シーケンスＣ１を実行することにより、イメージングデータＡ１とナビゲータデータＢ１とを得ることができる。イメージングデータＡ１は、スライスＬ１のｋｙ＝−３２のラインのデータである。シーケンスＣ１を実行した後、シーケンスＣ２〜Ｃ２０が順に実行される。したがって、期間Ｐｍの間に、スライスＬ１〜Ｌ２０のｋｙ＝−３２のデータを収集することができる。
【００４６】
また、期間Ｐｍでも、スライスＬ１〜Ｌ２０のナビゲータデータＢ１〜Ｂ２０の積分値Ｓ１〜Ｓ２０を計算し、これらの積分値を加算する。この加算値ｒｍが、期間Ｐｍにおける体動データとして用いられる。
【００４７】
したがって、マルチスライススキャンＭＬ１を実行することにより、イメージングデータの他に、体動データ（積分値）ｒ１〜ｒｍを得ることができる。被検体の呼吸により、肝臓はＳＩ方向に動くので、肝臓の動きに応じて加算値が変化する。したがって、スキャンを実行することにより、被検体の呼吸信号Ｓｒｅｐを取得することができる。呼吸信号Ｓｒｅｐを得ることによって、体動補正を行うことができる。
【００４８】
しかし、一般的に、肝臓の動きは、肝臓の上端側（Ｓ側）では大きいが、肝臓の下端側（Ｉ側）では小さくなる。したがって、肝臓の上端側（Ｓ側）のスライス（例えば、スライスＬ２）から得られたナビゲータデータの積分値の時間変化は大きいが、肝臓の下端側（Ｉ側）のスライス（例えば、スライスＬ２０）から得られたナビゲータデータの積分値の時間変化はあまり大きくならない。このため、全スライスＬ１〜Ｌ２０から得られたナビゲータデータＢ１〜Ｂ２０の積分値を加算して体動データを求めると、肝臓の下端側（Ｉ側）のスライスから得られたナビゲータデータの影響を受けて、体動データ（加算値ｒ）の時間変化があまり大きくならず、肝臓の動きを検出することが難しくなるという問題がある。そこで、この問題に対処するために、スライスＬ１〜Ｌ２０のうち、肝臓の上端側（Ｓ側）に位置するスライスＬ１〜Ｌ１０から得られたナビゲータデータのみを用いて体動データを求める方法が考えられる（図９参照）。
【００４９】
図９は、肝臓の上端側（Ｓ側）に位置するスライスＬ１〜Ｌ１０から得られたナビゲータデータのみを用いて体動データを求める方法の説明図である。
図９では、肝臓の上端側（Ｓ側）に位置するスライスＬ１〜Ｌ１０から得られたナビゲータデータの積分値Ｓ１〜Ｓ１０のみが加算される。このようにして得られた加算値ｒ１が、期間Ｐ１における体動データとして用いられる。残りのスライスＬ１１〜Ｌ２０のナビゲータデータＢ１１〜Ｂ２０は、体動データの算出には用いられないので破棄される。期間Ｐ１においてシーケンスＣ１〜Ｃ２０が実行された後、次の期間Ｐ２に移行する（図１０参照）。
【００５０】
図１０は、期間Ｐ２においてシーケンスを実行したときの様子を示す図である。
期間Ｐ２でも、肝臓の上端側（Ｓ側）に位置するスライスＬ１〜Ｌ１０から得られたナビゲータデータの積分値Ｓ１〜Ｓ１０のみが加算される。以下同様に、残りの期間Ｐ３〜Ｐｍでも、肝臓の上端側（Ｓ側）に位置するスライスＬ１〜Ｌ１０から得られたナビゲータデータの積分値Ｓ１〜Ｓ１０のみが加算される。図１１は、期間ＰｍにおいてシーケンスＣ１〜Ｃ２０を実行したときの様子を示す図である。期間Ｐｍでも、肝臓の上端側（Ｓ側）に位置するスライスＬ１〜Ｌ１０から得られたナビゲータデータの積分値Ｓ１〜Ｓ１０のみが加算される。したがって、肝臓の下端側（Ｉ側）のスライスＬ１１〜Ｌ２０から得られたナビゲータデータＢ１１〜Ｂ２０を使用せずに体動データ（加算値ｒ）が求められるので、高品質な呼吸信号Ｓｒｅｐを得ることが可能となる。
【００５１】
しかし、マルチスライススキャンＭＬ１で使用されているシーケンスＣ１〜Ｃ２０は、図４に示すように、ナビゲータデータを含むＭＲ信号Ｅ２を収集するための待ち時間Ｔｗａｉｔを設け、更に、待ち時間Ｔｗａｉｔの後にキラーパルスＧｚ３を印加する必要がある。したがって、シーケンスＣ１〜Ｃ２０の各々を実行するために必要な時間Ｔｃが長くなってしまうので、マルチスライススキャンＭＬ１における繰り返し時間ＴＲが延長してしまうという問題がある。そこで、第１の形態では、繰り返し時間ＴＲを短くすることができるようにマルチスライススキャンで使用されるシーケンスを工夫している。以下に、第１の形態におけるマルチスライススキャンについて説明する。
【００５２】
図１２は、第１の形態のマルチスライススキャンＭＬ２で使用されるシーケンスの説明図である。
図１２では、期間Ｐ１〜Ｐｍのうち、期間Ｐ１で実行されるシーケンスが示されている。期間Ｐ１では、シーケンスＣ１〜Ｃ１０が印加され、続いて、シーケンスＤ１１〜Ｄ２０が印加される。図１２に示すシーケンスＣ１〜Ｃ１０は、図４のシーケンスＣ１〜Ｃ１０と同じであるので説明は省略し、以下では、シーケンスＤ１１〜Ｄ２０について具体的に説明する。
【００５３】
シーケンスＤ１１は、シーケンスＣ１とは異なるシーケンスチャートを有している。以下に、シーケンスＣ１とシーケンスＤ１１との相違点について説明する。
【００５４】
図１３は、シーケンスＣ１とシーケンスＤ１１との相違点の説明図である。図１３（ａ）はシーケンスＣ１のシーケンスチャートを示しており、図１３（ｂ）はシーケンスＤ１１のシーケンスチャートを示している。
シーケンスＤ１１は、シーケンスＣ１と同様に、励起パルスαおよび勾配磁場Ｇｘ１〜Ｇｚ３を有している。しかし、シーケンスＤ１１は、シーケンスＣ１と比較すると、キラーパルスＧｚ３がΔｔだけ速いタイミングで印加されている。したがって、シーケンスＤ１１には、ナビゲータデータを含むＭＲ信号Ｅ２を収集するための待ち時間Ｔｗａｉｔは設けられておらず、シーケンスＤ１１のキラーパルスＧｚ３は、時間軸方向に関して、リフェーザパルスＧｘ３およびＧｙ２に重なるように印加される。このため、シーケンスＤ１１の時間長Ｔｄは、シーケンスＣ１の時間長ＴｃよりもΔｔだけ短い時間（Ｔｄ＝Ｔｃ−Δｔ）に設定されている。
【００５５】
尚、図１２では、シーケンスＤ１２〜Ｄ２０のシーケンスチャートは示されていないが、シーケンスＤ１２〜Ｄ２０は、ＲＦパルスαの周波数を除いて、シーケンスＤ１１と同じシーケンスチャートを有している。したがって、シーケンスＤ１１〜Ｄ２０の各々の時間長Ｔｄは、シーケンスＣ１の時間長ＴｃよりもΔｔだけ短く設定されているので、マルチスライススキャンＭＬ２の繰り返し時間ＴＲを短くすることができる。図１４に、第１の形態のマルチスライススキャンＭＬ２における繰り返し時間ＴＲと、別のマルチスライススキャンＭＬ１における繰り返し時間ＴＲの違いを概略的に示す。図１４の上側には、先に説明した別のマルチスライススキャンＭＬ１における繰り返し時間ＴＲが示されており、図１４の下側には、第１の形態のマルチスライススキャンＭＬ２における繰り返し時間ＴＲが示されている。
【００５６】
別のマルチスライススキャンＭＬ１では、シーケンスＣ１〜Ｃ２０の各々の時間長は、Ｔｃである。したがって、別のマルチスライススキャンＭＬ１におけるＴＲは、以下の式で表すことができる。
ＴＲ＝Ｔｃ×Ｎ
ここで、Ｎ：スライス枚数
【００５７】
スライス枚数Ｎは、Ｎ＝２０であるので、ＴＲは、以下の式で表すことができる。
ＴＲ＝２０Ｔｃ
【００５８】
一方、第１の形態のマルチスライススキャンＭＬ２は、シーケンスＣ１〜Ｃ１０の各々の時間長はＴｃであるが、シーケンスＤ１１〜Ｄ２０の各々の時間長はＴｄ（＝Ｔｃ−Δｔ）である。したがって、第１の形態のマルチスライススキャンＭＬ２における繰り返し時間ＴＲは、以下の式で表すことができる。
ＴＲ＝Ｔｃ×１０＋Ｔｄ×１０
＝Ｔｃ×１０＋（Ｔｃ−Δｔ）×１０
＝２０Ｔｃ−１０Δｔ
【００５９】
つまり、第１の形態のマルチスライススキャンＭＬ２は、別のマルチスライススキャンＭＬ１と比較すると、繰り返し時間ＴＲを１０Δｔだけ短縮できることがわかる。
次に、第１の形態のマルチスライススキャンＭＬ２について説明する。
【００６０】
図１５は、第１の形態のマルチスライススキャンＭＬ２の期間Ｐ１において実行されるシーケンスＣ１〜Ｃ１０およびシーケンスＤ１１〜Ｄ２０の説明図である。
シーケンスＣ１〜Ｃ１０のシーケンスチャートは、図１３（ａ）に示すシーケンスチャートで表される。したがって、シーケンスＣ１〜Ｃ１０を実行することにより、イメージングデータＡ１〜Ａ１０と、ナビゲータデータＢ１〜Ｂ１０とを得ることができる。イメージングデータＡ１〜Ａ１０は、スライスＬ１〜Ｌ１０のｋｙ＝３２のラインのデータである。シーケンスＣ１０が実行された後、次のシーケンスＤ１１が実行される。
【００６１】
シーケンスＤ１１には、ナビゲータデータを含むＭＲ信号Ｅ２を収集するための待ち時間Ｔｗａｉｔが設けられていない（図１３（ｂ）参照）。したがって、シーケンスＤ１１を実行することにより、被検体の撮影部位のイメージングデータＡ１１のみが得られる。イメージングデータＡ１１は、スライスＬ１１のｋｙ＝３２のラインのデータである。シーケンスＤ１１を実行した後、シーケンスＤ１２が実行される。
【００６２】
シーケンスＤ１２は、ＲＦパルスαの励起周波数を除いて、シーケンスＤ１１と同じシーケンスチャートで表される。シーケンスＤ１２を実行することによりイメージングデータＡ１２が収集される。イメージングデータＡ１２は、スライスＬ１２のｋｙ＝３２のラインのデータである。
【００６３】
以下同様に、スライスＬ１３〜Ｌ２０のデータを収集するためのシーケンスＤ１３〜Ｄ２０が実行される。シーケンスＤ２０を実行することによりイメージングデータＡ２０が収集される。イメージングデータＡ２０は、スライスＬ２０のｋｙ＝３２のラインのデータである。
したがって、期間Ｐ１の間に、スライスＬ１〜Ｌ２０のｋｙ＝３２のデータを収集することができる。
【００６４】
また、シーケンスＣ１〜Ｃ１０を実行することにより、ナビゲータデータＢ１〜Ｂ１０が得られる。第１の形態では、体動データ作成手段９１（図２参照）が、ナビゲータデータＢ１〜Ｂ１０を用いて、期間Ｐ１における被検体の動きの情報を表す体動データを作成する（図１６参照）。
【００６５】
図１６は体動データを求めるときの説明図である。
体動データ作成手段９１は、ナビゲータデータＢ１〜Ｂ１０の各々の積分値（面積）を求める。図１６では、ナビゲータデータＢ１〜Ｂ１０の積分値を、符号「Ｓ１」〜「Ｓ１０」で示してある。ナビゲータデータＢ１〜Ｂ１０の積分値Ｓ１〜Ｓ１０を計算した後、これらの積分値を加算する。この加算値ｒ１が、期間Ｐ１における体動データとして用いられる。
期間Ｐ１においてシーケンスを実行した後、期間Ｐ２に移行する（図１７参照）。
【００６６】
図１７は、期間Ｐ２においてシーケンスＣ１〜Ｃ１０およびＤ１１〜Ｄ２０を実行したときの様子を示す図である。
シーケンスＣ１〜Ｃ１０を実行することにより、イメージングデータＡ１〜Ａ１０と、ナビゲータデータＢ１〜Ｂ１０とを得ることができる。イメージングデータＡ１〜Ａ１０は、スライスＬ１〜Ｌ１０のｋｙ＝３１のラインのデータである。
【００６７】
シーケンスＣ１〜Ｃ１０の後に、シーケンスＤ１１〜Ｄ２０が実行される。シーケンスＤ１１〜Ｄ２０を実行することにより、イメージングデータＡ１１〜Ａ２０のみが収集される。イメージングデータＡ１１〜Ａ２０は、スライスＬ１１〜Ｌ２０のｋｙ＝３１のラインのデータである。
したがって、期間Ｐ２の間に、スライスＬ１〜Ｌ２０のｋｙ＝３１のデータを収集することができる。
【００６８】
また、体動データ作成手段９１は、ナビゲータデータＢ１〜Ｂ１０の各々の積分値（面積）を計算し、これらの積分値を加算する。この加算値ｒ２が、期間Ｐ２における体動データとして用いられる。
以下同様に、期間Ｐ３〜Ｐｍにおいて、残りのｋｙビューのデータを収集するためのシーケンスＣ１〜Ｃ１０およびＤ１１〜Ｄ２０が実行される（図１８参照）。
【００６９】
図１８は期間ＰｍにおいてシーケンスＣ１〜Ｃ１０およびＤ１１〜Ｄ２０を実行するときの説明図である。
シーケンスＣ１〜Ｃ１０を実行することにより、イメージングデータＡ１〜Ａ１０と、ナビゲータデータＢ１〜Ｂ１０とを得ることができる。イメージングデータＡ１〜Ａ１０は、スライスＬ１〜Ｌ１０のｋｙ＝−３２のラインのデータである。
【００７０】
シーケンスＣ１〜Ｃ１０の後に、シーケンスＤ１１〜Ｄ２０が実行される。シーケンスＤ１１〜Ｄ２０を実行することにより、イメージングデータＡ１１〜Ａ２０のみが収集される。イメージングデータＡ１１〜Ａ２０は、スライスＬ１１〜Ｌ２０のｋｙ＝−３２のラインのデータである。
したがって、期間Ｐｍの間に、スライスＬ１〜Ｌ２０のｋｙ＝−３２のデータを収集することができる。
【００７１】
また、体動データ作成手段９１は、ナビゲータデータＢ１〜Ｂ１０の各々の積分値（面積）を計算し、これらの積分値を加算する。この加算値ｒｍが、期間Ｐｍにおける体動データとして用いられる。したがって、各期間における体動データの時間変化を表す呼吸信号Ｓｒｅｐを作成することができる。
【００７２】
また、画像作成手段９２（図２参照）は、スライスごとに得られたｋ空間のデータに基づいて、画像を再構成する。したがって、各スライスの画像を得ることができる。
【００７３】
以上説明したように、第１の形態では、シーケンスＤ１１〜Ｄ２０については、ナビゲータデータを含むＭＲ信号Ｅ２を収集するための待ち時間Ｔｗａｉｔが設けられていないので、マルチスライススキャンＭＬ２の繰り返し時間ＴＲの延長を短くすることができる。
【００７４】
尚、第１の形態では、２０個のシーケンスＣ１〜Ｃ１０およびＤ１１〜Ｄ２０のうちの半分（１０個）のシーケンスＣ１〜Ｃ１０に、ナビゲータデータを含むＭＲ信号Ｅ２を収集するための待ち時間Ｔｗａｉｔが設けられている。しかし、肝臓の動きを精度よく検出することができるのであれば、待ち時間Ｔｗａｉｔが設けられるシーケンスの数を更に少なくしてもよい。例えば、２０個のシーケンスＣ１〜Ｃ１０およびＤ１１〜Ｄ２０のうちの８個のシーケンスＣ１〜Ｃ８に、待ち時間Ｔｗａｉｔが設けられるようにしてもよい。また、逆に、待ち時間Ｔｗａｉｔが設けられるシーケンスの数を増やしてもよい。例えば、２０個のシーケンスＣ１〜Ｃ１０およびＤ１１〜Ｄ２０のうちの１５個のシーケンスＣ１〜Ｃ１０およびＤ１１〜Ｄ１５に、待ち時間Ｔｗａｉｔが設けられるようにしてもよい。ただし、待ち時間Ｔｗａｉｔが設けられるシーケンスの数を増やしすぎると、繰り返し時間ＴＲが長くなってしまうので、待ち時間Ｔｗａｉｔが設けられるシーケンスの数はできるだけ少ないことが望ましい。
【００７５】
（２）第２の形態
第２の形態では、第１の形態で説明したマルチスライススキャンを用いて被検体のスキャンを行う別の方法について説明する。尚、第２の形態におけるＭＲ装置は、第１の形態のＭＲ装置と比較すると、プロセッサ９で実行される処理が異なるが、その他の点については、第１の形態のＭＲ装置１００と同じである。したがって、第２の形態のＭＲ装置については、主に、プロセッサの動作について説明する。
【００７６】
図１９は、第２の形態においてプロセッサ９が実行する処理を示す図である。
プロセッサ９は、体動データ作成手段９１〜判断手段９４などを有している。
体動データ作成手段９１および画像作成手段９２は、第１の形態と同じであるので、説明は省略する。
許容範囲設定手段９３は、後述する許容範囲ＡＷ（図２３参照）を設定する。
判断手段９４は、許容範囲ＡＷに基づいて、イメージングデータを画像再構成用のイメージングデータとして受け入れるか否かを判断する。
プロセッサ９は、メモリ１０に記憶されているプログラムを読み出すことにより、体動データ作成手段９１〜判断手段９４などを構成する。
次に、第２の形態で実行されるスキャンについて説明する。
【００７７】
図２０は、第２の形態で実行されるスキャンを示す図である。
図２０には、ローカライザスキャンＬＳおよび本スキャンＭＳが示されている。ローカライザスキャンＬＳは、スライスを位置決めするときに用いられる画像を取得するためのスキャンである。本スキャンＭＳは撮影部位の画像を取得するためのスキャンである。以下、ローカライザスキャンＬＳおよび本スキャンＭＳについて順に説明する。
【００７８】
図２１は、ローカライズスキャンＬＳの説明図である。
ローカライザスキャンＬＳは、被検体の肺および肝臓を含む部位の画像ＩＭを取得するためのスキャンである。ローカライザスキャンＬＳでは、アキシャル画像、サジタル画像、コロナル画像が取得される。図２１では、ローカライザスキャンＬＳにより取得された画像ＩＭとして、コロナル画像のみが示されている。
【００７９】
オペレータは、画像ＩＭに基づいてスライスを設定する。図２２に、オペレータによって設定された２０枚のスライスＬ１〜Ｌ２０を概略的に示す。スライスＬ１〜Ｌ２０を設定した後、本スキャンＭＳが実行される。
【００８０】
本スキャンＭＳでは、先ず、第１の形態で説明したように、マルチスライススキャンＭＬ２を実行する。したがって、図１８に示すように、スライスＬ１〜Ｌ２０におけるｋ空間のデータを取得することができる。しかし、撮影部位は呼吸により体動するので、期間Ｐ１〜Ｐｍに収集されたイメージングデータを画像再構成用のデータとして使用すると、画像に体動アーチファクトが現れる。そこで、第２の形態では、アーチファクトを軽減するため、呼吸信号Ｓｒｅｐに基づいて、イメージングデータを再構成用のデータとして受け入れるか、それとも、イメージングデータの受入れを拒否するかを判断している。以下に、その判断方法について説明する。
【００８１】
図２３はイメージングデータの受入れ、拒否を判断する方法の説明図である。
先ず、許容範囲設定手段９３（図１９参照）が、呼吸信号Ｓｒｅｐに基づいて、被検体の息の吐き終わりの位置に対応する加算値ｘ０を求める。この加算値ｘ０は、例えば、呼吸信号Ｓｒｅｐのピーク値を参考にして求めることができる。次に、許容範囲設定手段９３は、呼吸信号Ｓｒｅｐの最大値と最小値との差ΔＤを求める。そして、許容範囲設定手段９３は、加算値ｘ０を中心として、差ΔＤのｘ％（例えば、ｘ＝２０）の範囲ＡＷを設定する。このようにして設定された範囲ＡＷを、イメージングデータを受け入れる許容範囲ＡＷと定める。
【００８２】
次に、判断手段９４（図１９参照）が、許容範囲ＡＷに基づいて、イメージングデータを受け入れるか否かを判断する。判断手段９４は、呼吸信号Ｓｒｅｐが許容範囲ＡＷに含まれている場合、イメージングデータを受け入れると判断し、一方、呼吸信号Ｓｒｅｐが許容範囲ＡＷに含まれていない場合、イメージングデータを拒否すると判断する。図２３を見ると、呼吸信号Ｓｒｅｐの加算値ｒ１は許容範囲ＡＷに含まれていないので、期間Ｐ１に収集されたｋｙ＝３２のイメージングデータＡ１〜Ａ２０（図１６参照）は拒否される。一方、期間Ｐ２の呼吸信号Ｓｒｅｐの加算値ｒ２は許容範囲ＡＷに含まれているので、期間Ｐ２に収集されたｋｙ＝３１のイメージングデータＡ１〜Ａ２０（図１７参照）は受け入れると判断される。以下同様に、各期間において得られた加算値が許容範囲ＡＷに含まれているか否に応じて、イメージングデータを受け入れるか拒否するかを判断する。加算値が許容範囲ＡＷに含まれている場合、肝臓の位置のばらつきは十分に小さいと考えられるので、呼吸信号が許容範囲ＡＷに含まれているときに得られたイメージングデータを受け入れることにより、体動アーチファクトを軽減することができる。
【００８３】
ただし、第２の形態では、ｋｙ＝−３２〜３２のイメージングデータを用いて画像を再構成する必要がある。そこで、拒否されたイメージングデータは、期間Ｐｍの後で再収集する。例えば、呼吸信号Ｓｒｅｐの加算値ｒ１は許容範囲ＡＷに含まれていないので、期間Ｐ１に収集されたｋｙ＝３２のイメージングデータＡ１〜Ａ２０（図１６参照）は拒否される。そこで、本スキャンＭＳでは、期間Ｐｍが終了した後、次の期間Ｐｍ＋１で、ｋｙ＝３２のイメージングデータＡ１〜Ａ２０を再収集する（図２４参照）。
【００８４】
図２４は、本スキャンＭＳにおいて、ｋｙ＝３２のイメージングデータＡ１〜Ａ２０を再収集するときの説明図である。
期間Ｐｍ＋１では、ｋｙ＝３２のイメージングデータＡ１〜Ａ２０を再収集するためのシーケンスＣ１〜Ｃ１０およびＤ１１〜Ｄ２０が実行される。シーケンスＣ１〜Ｃ１０およびＤ１１〜Ｄ２０を実行することにより、イメージングデータＡ１〜Ａ２０と、ナビゲータデータＢ１〜Ｂ１０とを取得することができる。
【００８５】
体動データ作成手段９１（図１９参照）は、ナビゲータデータＢ１〜Ｂ１０の各々の積分値（面積）を計算し、これらの積分値を加算する。この加算値ｒｍ＋１が、期間Ｐｍ＋１における体動データとして用いられる。
【００８６】
次に、判断手段９４は、加算値ｒｍ＋１が許容範囲ＡＷに含まれているか否かを判断する。図２４では、加算値ｒｍ＋１は許容範囲ＡＷに含まれていないので、期間Ｐｍ＋１で取得されたｋｙ＝３２のイメージングデータＡ１〜Ａ２０は画像再構成用のデータとして受け入れることができない。したがって、期間Ｐｍ＋１で取得されたｋｙ＝３２のイメージングデータＡ１〜Ａ２０は拒否される。この場合、引き続いて、次の期間Ｐｍ＋２においても、ｋｙ＝３２のイメージングデータＡ１〜Ａ２０を再収集するためのシーケンスＣ１〜Ｃ１０およびＤ１１〜Ｄ２０が実行される（図２５参照）。
【００８７】
図２５は、期間Ｐｍ＋２においてシーケンスＣ１〜Ｃ１０およびＤ１１〜Ｄ２０を実行するときの説明図である。
期間Ｐｍ＋２でも、期間Ｐｍ＋１と同様に、ｋｙ＝３２のイメージングデータＡ１〜Ａ２０を再収集するためのシーケンスＣ１〜Ｃ１０およびＤ１１〜Ｄ２０が実行される。シーケンスＣ１〜Ｃ１０およびＤ１１〜Ｄ２０を実行することにより、イメージングデータＡ１〜Ａ２０と、ナビゲータデータＢ１〜Ｂ１０とを取得することができる。
【００８８】
体動データ作成手段９１は、ナビゲータデータＢ１〜Ｂ１０の各々の積分値（面積）を計算し、これらの積分値を加算する。この加算値ｒｍ＋２が、期間Ｐｍ＋２における体動データとして用いられる。
【００８９】
次に、判断手段９４は、加算値ｒｍ＋２が許容範囲ＡＷに含まれているか否かを判断する。図２５では、加算値ｒｍ＋２は許容範囲ＡＷに含まれているので、期間Ｐｍ＋２で取得されたｋｙ＝３２のイメージングデータＡ１〜Ａ２０は画像再構成用のデータとして受け入れると判断する。
【００９０】
以下同様に、他の拒否されたイメージングデータを再収集する場合も、加算値が許容範囲ＡＷに含まれるまでシーケンスが繰り返し実行される。したがって、加算値が許容範囲ＡＷに含まれているときに収集されたｋｙ＝−３２〜３２のイメージングデータを、画像再構成用のデータとして得ることができる。
【００９１】
このようにして、拒否されたイメージングデータを再収集した後、画像再構成を行う。画像再構成に使用されたｋｙ＝−３２〜３２のイメージングデータは、加算値が許容範囲ＡＷに含まれているときに収集されているので、体動アーチファクトが低減された画像を得ることができる。
【００９２】
（３）第３の形態
第２の形態では、本スキャンＭＳにより得られたナビゲータデータの積分値の加算値ｒに基づいて呼吸信号の許容範囲ＡＷを設定する例について説明した。第３の形態では、本スキャンＭＳの前に、呼吸信号の許容範囲ＡＷを設定するためのプレスキャンを実行する例について説明する。尚、第３の形態におけるＭＲ装置のハードウェア構成は、第１の形態のＭＲ装置と同じである。
以下に、第３の形態で実行されるスキャンについて説明する。
【００９３】
図２６は、本スキャンＭＳの前にプレスキャンＰＳを実行する例の説明図である。
プレスキャンＰＳでは、本スキャンＭＳと同様に、シーケンスＣ１〜Ｃ１０およびＤ１１〜Ｄ２０を実行するためのマルチスライススキャンが実行される。図２６では、期間Ｐ１で実行されるシーケンスＣ１〜Ｃ１０およびＤ１１〜Ｄ２０が示されている。体動データ作成手段９１（図１９参照）は、期間ごとに、スライスＬ１〜Ｌ１０のナビゲータデータＢ１〜Ｂ１０の積分値Ｓ１〜Ｓ１０を加算し、体動データを作成する。これにより、呼吸信号Ｓｒｅｐを得ることができる。
【００９４】
次に、許容範囲設定手段９３が、呼吸信号Ｓｒｅｐに基づいて、呼吸信号の許容範囲ＡＷを設定する。尚、プレスキャンＰＳでは、ナビゲータデータの他にイメージングデータＡ１〜Ａ２０も取得されるが、プレスキャンＰＳで取得されるイメージングデータＡ１〜Ａ２０は、画像再構成用のデータとしては使用されず破棄される。
【００９５】
呼吸信号の許容範囲ＡＷを設定した後、本スキャンＭＳを実行する。本スキャンＭＳでは、第２の形態と同様に、シーケンスＣ１〜Ｃ１０およびＤ１１〜Ｄ２０を繰り返し実行し、スライスＬ１〜Ｌ１０のナビゲータデータＢ１〜Ｂ１０の面積（積分値）を加算する。加算値が許容範囲ＡＷに含まれている場合は、イメージングデータを受け入れ、加算値が許容範囲ＡＷに含まれていない場合は、イメージングデータの受入れを拒否する。拒否された場合は、加算値が許容範囲ＡＷに含まれるまで、シーケンスＣ１〜Ｃ１０およびＤ１１〜Ｄ２０を繰り返し実行する。したがって、加算値が許容範囲ＡＷに含まれたときに収集されたイメージングデータのみを用いて画像が再構成されるので、体動アーチファクトが低減された画像を得ることができる。
【００９６】
尚、第１〜第３の形態では、シーケンスＣ１〜Ｃ１０は、図１３（ａ）に示すシーケンスチャートを有するように構成されている。しかし、図１３（ａ）に示すシーケンスチャートの代わりに、図２８に示すシーケンスチャートを使用してもよい（図２７参照）。
【００９７】
図２７は、図２８に示すシーケンスチャートが使用された例を示す図である。
図２７では、期間Ｐ１〜Ｐｍのうち、期間Ｐ１で実行されるシーケンスが示されている。期間Ｐ１では、シーケンスＣ１´〜Ｃ１０´が印加され、続いて、シーケンスＤ１１〜Ｄ２０が印加される。図２７に示すシーケンスＤ１１〜Ｄ２０は、図１２のシーケンスＤ１１〜Ｄ２０と同じであるので説明は省略し、以下では、シーケンスＣ１´〜Ｃ１０´について具体的に説明する。
【００９８】
シーケンスＣ１´は、読出し勾配パルスＧｘ２よりも前に待ち時間Ｔｗａｉｔが設けられている。このように、読出し勾配パルスＧｘ２の前に待ち時間Ｔｗａｉｔを設けても、各期間における体動データを得ることができるので、呼吸同期法を併用した撮影を行うことができる。また、シーケンスＣ１´では、読出し勾配パルスＧｘ２の前に待ち時間Ｔｗａｉｔが設けられているので、リフェーザパルスＧｘ３（およびＧｙ２）と同じタイミングでキラーパルスＧｚ３を印加することができる。したがって、シーケンスＣ１´の時間長Ｔｃ´は、シーケンスＣ１の時間長Ｔｃ（図１２参照）よりも短くすることができる。
【００９９】
尚、図２７では、シーケンスＣ２´〜Ｃ１０´のシーケンスチャートは示されていないが、シーケンスＣ２´〜Ｃ１０´は、ＲＦパルスαの周波数を除いて、シーケンスＣ１´と同じシーケンスチャートで表される。したがって、シーケンスＣ２´〜Ｃ１０´も、シーケンスＣ１´と同じ時間長Ｔｃ´を有している。このため、シーケンスＣ１〜Ｃ１０の代わりに、シーケンスＣ１´〜Ｃ１０´を用いることにより、繰り返し時間ＴＲを更に短縮することが可能となる。ただし、シーケンスＣ１´〜Ｃ１０´は、読出し勾配パルスＧｘ２よりも前に待ち時間Ｔｗａｉｔが設けられているので、エコー時間ＴＥが延長する。したがって、エコー時間ＴＥを短くしたい場合は、シーケンスＣ１´〜Ｃ１０´の代わりに、シーケンスＣ１〜Ｃ１０を用いることが望ましい。
【０１００】
尚、第１〜第３の形態では、ナビゲータデータの積分値を求め、積分値を加算することにより体動データを求めている。しかし、ナビゲータデータの積分値の代わりに、ナビゲータデータの特性を表す別の値（例えば、ナビゲータデータの最大値）を求め、別の値を加算することにより体動データを求めてもよい。
【０１０１】
また、第１〜第３の形態では、肝臓を撮影する場合について説明されている。しかし、本発明は、肝臓を撮影する場合に限定されることはなく、肝臓以外の体動する部位（例えば、心臓）を撮影する場合にも適用することができる。例えば、心臓を撮影する場合、シーケンスを実行することにより収集されたナビゲータデータの積分値を加算することにより、被検体の心拍による体動の情報を含む体動データを得ることができる。したがって、心臓の動きによるアーチファクトを低減することができる。このように、本発明は、呼吸信号を求める場合に限定されることはなく、被検体の別の生体信号（例えば、被検体の心拍信号）を求める場合にも適用することができる。
【符号の説明】
【０１０２】
２  マグネット
３  テーブル
３ａ  クレードル
４  コイル
５  送信器
６  勾配磁場電源
７  受信器
８  コンピュータ
９  プロセッサ
１０  メモリ
１１  操作部
１２  表示部
１３  被検体
２１  ボア
９１  体動データ作成手段
９２  画像作成手段
９３  許容範囲設定手段
９４  判断手段
１００  ＭＲ装置
【図１】
0006411843.tif 000002
【図２】
0006411843.tif 000003
【図３】
0006411843.tif 000004
【図４】
0006411843.tif 000005
【図５】
0006411843.tif 000006
【図６】
0006411843.tif 000007
【図７】
0006411843.tif 000008
【図８】
0006411843.tif 000009
【図９】
0006411843.tif 000010
【図１０】
0006411843.tif 000011
【図１１】
0006411843.tif 000012
【図１２】
0006411843.tif 000013
【図１３】
0006411843.tif 000014
【図１４】
0006411843.tif 000015
【図１５】
0006411843.tif 000016
【図１６】
0006411843.tif 000017
【図１７】
0006411843.tif 000018
【図１８】
0006411843.tif 000019
【図１９】
0006411843.tif 000020
【図２０】
0006411843.tif 000021
【図２１】
0006411843.tif 000022
【図２２】
0006411843.tif 000023
【図２３】
0006411843.tif 000024
【図２４】
0006411843.tif 000025
【図２５】
0006411843.tif 000026
【図２６】
0006411843.tif 000027
【図２７】
0006411843.tif 000028
【図２８】
0006411843.tif 000029
【図２９】
0006411843.tif 000030